(57)【特許請求の範囲】
【請求項１】
進化型ノードＢ（ｅＮＢ）であって、
１または複数のプロセッサに接続された１または複数のコンピュータ可読媒体を備え、
前記１または複数のプロセッサのうちの少なくとも１つのプロセッサは、
複数のモビリティ管理エンティティ（複数のＭＭＥ）に接続し、
前記複数のＭＭＥのうちの第１ＭＭＥが、他のネットワークトラフィックより優先度が低いマシンタイプコミュニケーション（ＭＴＣ）トラフィックの処理の専用であることを判断し、
ＭＭＥ選択基準に基づいて、ユーザ機器（ＵＥ）に対する前記第１ＭＭＥを選択し、ＭＴＣトラフィックを発生させる
命令を実行する、ｅＮＢ。
【請求項２】
前記少なくとも１つのプロセッサは、前記第１ＭＭＥが、Ｓ１インタフェースを介して前記ｅＮＢにより受信された通信に基づいてＭＴＣトラフィックの処理の専用であることを判断する前記命令を実行する、請求項１に記載のｅＮＢ。
【請求項３】
前記少なくとも１つのプロセッサは、前記ＵＥにサービス提供する無線セルを提供する前記命令を実行する、請求項１または２に記載のｅＮＢ。
【請求項４】
前記少なくとも１つのプロセッサは、前記ｅＮＢに接続されたネットワークの一部が過負荷であるという判断に基づいて前記ＵＥをリリースするためのＲＲＣ接続リリースメッセージを、前記ＵＥに送信する前記命令を実行する、請求項３に記載のｅＮＢ。
【請求項５】
前記少なくとも１つのプロセッサは、前記ｅＮＢがＭＴＣトラフィックを許可する環境を特定するＭＴＣポリシーを、前記ＵＥに提供する前記命令を実行する、請求項４に記載のｅＮＢ。
【請求項６】
前記ｅＮＢがＭＴＣトラフィックを許可するという前記環境は、前記ＵＥが予め定められた位置またはその近くに存在すること、前記ＵＥがジオフェンスの範囲内に存在すること、または前記ＵＥがＵＥの特定のタイプであることの少なくとも１つを含む、請求項５に記載のｅＮＢ。
【請求項７】
前記１または複数のプロセッサと、
通信チップと
を有するシステムオンチップ（ＳｏＣ）をさらに備え、
前記少なくとも１つのプロセッサは前記通信チップとは独立している、または前記少なくとも１つのプロセッサは前記通信チップ内に集積される、請求項１から請求項６のいずれか１つに記載のｅＮＢ。
【請求項８】
進化型ノードＢ（ｅＮＢ）であって、
１または複数のプロセッサに接続された１または複数のコンピュータ可読媒体を備え、
前記１または複数のプロセッサの少なくとも１つのプロセッサは、
複数のモビティ管理エンティティ（複数のＭＭＥ）に接続し、
前記複数のＭＭＥのうちの第１ＭＭＥがマシンタイプコミュニケーション（ＭＴＣ）トラフィックの処理の専用であることを判断し、
ユーザ機器（ＵＥ）がＭＴＣトラフィックを発生させるという指標に基づくＭＭＥ選択基準に基づいて前記ＵＥに対するマシンタイプコミュニケーション（ＭＴＣ）トラフィックの処理の専門である前記第１ＭＭＥを選択する
命令を実行するｅＮＢ。
【請求項９】
前記少なくとも１つのプロセッサは、Ｓ１インタフェースを介して前記ｅＮＢにより受信される通信に基づいて前記第１ＭＭＥがＭＴＣトラフィックの処理の専門であることを判断する前記命令を実行する、請求項８に記載のｅＮＢ。
【請求項１０】
前記少なくとも１つのプロセッサは、前記ＵＥにサービス提供する無線セルを提供する前記命令を実行する、請求項８または請求項９に記載のｅＮＢ。
【請求項１１】
前記少なくとも１つのプロセッサは、無線リソース制御（ＲＲＣ）シグナリングを使用して、ＭＴＣに関連していない、他のＵＥからのネットワークトラフィックに基づいて、前記ＵＥをリリースする前記命令を実行する、請求項１０に記載のｅＮＢ。
【請求項１２】
前記少なくとも１つのプロセッサは、前記ｅＮＢがＭＴＣトラフィックを許可する環境を特定するＭＴＣポリシーを前記ＵＥに提供する前記命令を実行する、請求項１０または請求項１１に記載のｅＮＢ。
【請求項１３】
前記ｅＮＢがＭＴＣトラフィックを許可する前記環境は、前記ＵＥが予め定められた位置またはその近くに存在すること、前記ＵＥがジオフェンスの範囲内に存在すること、または前記ＵＥが特定のタイプのＵＥであることの少なくとも１つを含む、請求項１２に記載のｅＮＢ。
【請求項１４】
前記１または複数のプロセッサと、
通信チップと
を有するシステムオンチップ（ＳｏＣ）をさらに備え、
前記少なくとも１つのプロセッサは前記通信チップとは独立している、または前記少なくとも１つのプロセッサは前記プロセッサまたは前記通信チップの少なくとも１つ内に集積される、請求項８から請求項１３のいずれか１つに記載のｅＮＢ。
【請求項１５】
コンピュータを進化型ノードＢ（ｅＮＢ）として機能させるためのプログラムであって、
前記コンピュータに、
モビリティ管理エンティティ（ＭＭＥ）が、前記ＭＭＥが他のネットワークトラフィックより優先度が低いＭＴＣトラフィックを処理する専用であるマシンタイプコミュニケーション（ＭＴＣ）通信カテゴリに関連していることを判断する工程、
ユーザ機器（ＵＥ）から受信されるネットワークトラフィックがＭＴＣトラフィックであることを判断する工程、および
前記ＭＴＣ通信カテゴリ及びＭＴＣトラフィックである前記ＵＥから受信された前記ネットワークトラフィックに関連する前記ＭＭＥに基づくＭＭＥ選択基準に基づいて前記ＵＥを前記ＭＭＥに関連付ける工程
を実行させるためのプログラム。
【請求項１６】
前記ＭＭＥが前記ＭＴＣ通信カテゴリに関連しているという前記判断は、Ｓ１インタフェースを介して前記ｅＮＢによって受信される通信に基づく、請求項１５に記載のプログラム。
【請求項１７】
前記ＭＭＥが過負荷であるという判断に基づいて前記ＵＥをリリースするための無線リソース制御（ＲＲＣ）メッセージを、前記ＵＥに送信する工程を、さらに前記コンピュータに実行させる、請求項１５または請求項１６に記載のプログラム。
【請求項１８】
前記ｅＮＢがＭＴＣトラフィックを許可する環境を特定するＭＴＣポリシーを、前記ＵＥに提供する工程を、さらに前記コンピュータに実行させる、請求項１５から請求項１７のいずれか１つに記載のプログラム。
【請求項１９】
請求項１５から請求項１８のいずれか１つに記載のプログラムを格納するコンピュータ可読媒体。
【発明の詳細な説明】
【技術分野】
【０００１】
（関連出願へのクロスリファレンス）本願は、米国特許法１１９（ｅ）に基づき、２０１２年５月１１日に出願された発明の名称が「ADVANCED WIRELESS COMMUNICATION SYSTEMS AND TECHNIQUES」である米国仮出願６１／６４６，２２３、及び２０１３年１月７日に出願された発明の名称が「SELECTIVE JOINDER OF MACHINE- TYPE COMMUNICATION USER EQUIPMENT WITH WIRELESS CELL」である米国特許出願１３／７３５，９５２の優先権を主張する。両出願の開示は、参照によりここに組み込まれる。
【０００２】
本発明の複数の実施形態は、概して、データ処理の技術分野、より具体的には、マシンタイプコミュニケーションユーザ機器による複数の無線セルへの選択的参加に関する。
【背景技術】
【０００３】
ここで提供される背景技術の説明は、本開示の内容をおおまかに提示することを目的とする。目下名前が挙げられている発明者の研究は、この背景技術のセクションにおいて説明される限度において、出願時に先行技術としての適格がない詳細な説明の態様と同様に、本開示に対する先行技術として、明示的にも黙示的にも認められない。別段の指定がない限り、このセクションで説明される方法は、本開示の中の請求項に対する先行技術ではなく、このセクションの中に含まれることによって先行技術と認められるものではない。
【０００４】
いくつかのユーザ機器（ＵＥ）は、人間の介入がほとんど又は全くなしで、他のＵＥ又は複数のコンピューティングデバイスとの通信のために主に又はだけ使用されてよい。そのようなＵＥの例は、複数の無線気象センサ、複数の組立ラインセンサ、複数の車両の群を追跡するための複数の計測器、及びその類のものを含む。多くの場合において、これらのデバイスは、無線ネットワークにログオンし、例えばインターネットを介して、ネットワークサーバと通信する。３ＧＰＰ  Ｌｏｎｇ  Ｔｅｒｍ  Ｅｖｏｌｕｔｉｏｎ（ＬＴＥ）のリリース１０（２０１１年３月）（ＬＴＥ規格）の用語では、そのような通信は、マシンタイプコミュニケーション（ＭＴＣ）と称される。ＩＥＥＥ８０２．１６規格、２００９年５月２９日に公開されたＩＥＥＥ規格８０２．１６−２００９（ＷｉＭＡＸ（登録商標））の用語では、そのような通信は、マシンツーマシン（Ｍ２Ｍ）通信と称される。
【０００５】
ＭＴＣを使用して他の複数のコンピューティングデバイス又はＵＥと主に又はだけ通信するＵＥは、ユーザプレーントラフィックをほとんど発生させない。多くの場合において、トラフィックは、低い優先度で扱われる。しかしながら、ＭＴＣ  ＵＥの数が増加すると、通信の全体の量がそれでもネットワークに過負荷を掛ける。他（例えば、携帯電話）のトラフィックに影響を与えることなく、そのような多数のＭＴＣ  ＵＥの接続を保持することは、難しい。
【図面の簡単な説明】
【０００６】
複数の実施形態が、添付の図面と共に、以下の詳細な説明によって容易に理解される。この説明を促進するために、同種の参照番号が同種の構造要素を指定する。複数の実施形態は、例として説明され、添付の図面の形態に限定されない。
【図１】本開示の様々な実施形態に係るマシンタイプコミュニケーション（ＭＴＣ）ユーザ機器（ＵＥ）の適切な複数の無線セルへの選択的参加を促進するように、本開示の適用可能な一部とともに構成される様々なネットワークエンティティを概略的に示す。
【図２】様々な実施形態に係るＭＴＣ  ＵＥと進化型ノードＢ（ｅＮＢ）との間で実行される通信の交換の例を示す。
【図３】様々な実施形態に係るＭＴＣ  ＵＥとｅＮＢとの間で実行される通信の交換の他の例を示す。
【図４】様々な実施形態に係るＭＴＣ  ＵＥによって実行される方法の例を示す。
【図５】様々な実施形態に係るｅＮＢによって実行される方法の例を示す。
【図６】様々な実施形態に係るｅＮＢによって実行される方法の他の例を示す。
【図７】様々な実施形態に係る開示された複数の方法が実行され、コンピュータ可読媒体が実装されるコンピューティングデバイスの例を概略的に示す。
【発明を実施するための形態】
【０００７】
下記の詳細な説明において、実施形態の一部を形成する添付の図面が参照され、全体を通して同様の数字が同様の部分を指定し、実施される可能性がある複数の実施形態が例として示される。他の複数の実施形態が利用されてよく、本開示の範囲から逸脱することなく、構造的又は論理的な複数の変更がなされてよいことが理解される。したがって、下記の詳細な説明は、限定的な意味には用いられず、複数の実施形態の範囲は、添付の請求項及びそれらの均等物によって規定される。
【０００８】
様々な動作が、請求された主題を理解するために最も役に立つ方法で、多数の別々の動作又は順番の動作として説明される。しかしながら、説明の順序は、これらの動作が必ず順序に依存していることを意味するもの解釈されるべきでない。具体的には、これらの動作は、提示された順序で実行されなくてもよい。説明された動作は、説明された実施形態と異なる順序で実行されてもよい。様々な追加の動作が実行されてもよく、及び／又は説明された動作が追加の実施形態において省略されてもよい。
【０００９】
本開示の目的のために、「Ａ又はＢ」及び「Ａ及び／又はＢ」という表現は、（Ａ）、（Ｂ）、又は（Ａ及びＢ）を意味する。本開示の目的のために、「Ａ、Ｂ、及び／又はＣ」という表現は、（Ａ）、（Ｂ）、（Ｃ）、（Ａ及びＢ）、（Ａ及びＣ）、（Ｂ及びＣ）、又は（Ａ、Ｂ、及びＣ）を意味する。
【００１０】
説明は、「実施形態において」又は「複数の実施形態において」という表現を使用し、これらは、１つ又は複数の同一又は異なる複数の実施形態をそれぞれ参照する。さらに、「備える」、「含む」、「有する」、及びその類の用語は、本開示の複数の実施形態に関して使用される限りにおいて、同義である。
【００１１】
ここで使用される限りにおいて、「モジュール」及び／又は「ロジック」という用語は、１つ又は複数のソフトウェア又はファームウェアプログラムを実行する特定用途向け集積回路（ＡＳＩＣ）、電子回路、プロセッサ（共有、専用、又はグループ）、及び／又はメモリ（共有、専用、又はグループ）、組み合わせ論理回路、及び／又は説明された機能性を提供する他の適切なコンポーネントを含む又はその一部に言及してよい。
【００１２】
図１に、マシンタイプコミュニケーション（ＭＴＣ）ユーザ機器（ＵＥ）による複数の無線セルへの選択的参加を促進する複数のエンティティが示される。ここに説明される例は、ＵＥ及び他のＬＴＥを中心とした専門用語について繰り返し言及するが、これは、限定することを意味せず、ここで説明される技術は、ＧＰＳ、ＥＤＧＥ、ＧＰＲＳ、ＣＤＭＡ、ＷｉＭＡＸ、Ｅｖ−ＤＯ、及び他のもののような他の複数の無線ネットワークに使用されてよい。
【００１３】
ＭＴＣ  ＵＥ１００は、複数の無線セル１０２を検出するように構成されてよい。様々な実施形態において、各無線セル１０２は、進化型ノードＢ（ｅＮＢ）によって提供されてよい。様々な実施形態において、ＭＴＣ  ＵＥ１００は、複数の無線セル１０２の個々の無線セル１０２に関連する複数のｅＮＢカテゴリを検出するように構成されてよい。ここで使用される「ｅＮＢカテゴリ」という用語は、ｅＮＢによって提供される又は提供されないサービスのタイプを意味する。例えば、いくつかのｅＮＢ、例えば、図１の第１ｅＮＢ１０４及び第２ｅＮＢ１０６は、ＭＴＣトラフィックを禁止するように構成されてよい。ｅＮＢは、様々な理由により、ＭＴＣトラフィックより高い優先度が認められたトラフィックのために、ｅＮＢの帯域幅を確保するような方法で構成されてよい。図１の第３ｅＮＢ１０８のようないくつかのｅＮＢは、ＭＴＣトラフィックを主に又はだけを処理するために提供されてよい。これは、他のトラフィックのために、第１ｅＮＢ１０４及び第２ｅＮＢ１０６のような「通常の」複数のｅＮＢの複数のリソースが失われないようにし得る。様々な実施形態において、ＭＴＣ専用のｅＮＢは、例えば、多数のＭＴＣ  ＵＥを有する工場又は他の環境の中での使用のために、「低価格」のｅＮＢであってよい。これは、複数の新しいＭＴＣサービスを展開するときに、資本支出（ＣＡＰＥＸ）を減らし得る。様々な実施形態において、ＭＴＣ専用のｅＮＢは、例えば、ＭＴＣノードＩＤの一部として、それがＭＴＣトラフィックの専用であることを示す指標をブロードキャストしてよい。
【００１４】
けれども、図１の第４ｅＮＢ１１０のような他の複数のｅＮＢは、「通常の」（例えば、非ＭＴＣ）トラフィックをサポートし、しかし、無制限に又は特定の環境下（ここで説明される例）でＭＴＣトラフィックもサポートするように構成されてよい。そのようなｅＮＢ１１０は、ここでは「ハイブリッド」ｅＮＢと称されてよい。様々な実施形態において、ハイブリッドｅＮＢ１１０は、例えば、ＭＴＣノードＩＤの一部として、それがいくつかの又は全ての環境下でＭＴＣトラフィックを受け入れることを示す指標をブロードキャストしてよい。
【００１５】
様々な実施形態において、複数のｅＮＢは、それらの複数のカテゴリ及びそれらが提供する複数のセルに加わるために使用可能な他の情報をブロードキャストする、又はさもなければ利用可能にするように構成されてよい。図２において、例えば、そのカテゴリ（ＭＴＣ専用）をブロードキャストするＭＴＣ専用のｅＮＢ１０８が示される。ＭＴＣ  ＵＥ１００は、他の複数のｅＮＢ（例えば、図２に示されていない１０４、１０６、１１０）によってブロードキャストされた複数のカテゴリと並行して、このブロードキャストされたカテゴリを受信してよい。
【００１６】
様々な実施形態において、複数の無線セル及びそれらのカテゴリを検出すると、ＭＴＣ  ＵＥ１００は、ＭＴＣトラフィックが許可されている複数の検出された無線セル１０２の１つ又は複数の無線セルを特定するように構成されてよい。様々な実施形態において、この特定は、各無線セル１０２に関連する検出された複数のｅＮＢカテゴリに基づいてよい。様々な実施形態において、ＭＴＣ  ＵＥ１００は、１つ又は複数の特定された無線セルを、ＭＴＣ  ＵＥが接続することが許可されている複数のＭＴＣ専用のｅＮＢのリストと照合するように構成されてよい。様々な実施形態において、複数のＭＴＣ専用のｅＮＢのリストは、（例えば、ＮＡＳシグナリングを使用して）ｅＮＢから取得されてよい。
【００１７】
様々な実施形態において、ＭＴＣ  ＵＥ１００が接続することが許可されている複数のＭＴＣ専用のｅＮＢのリストは、例えば、様々な位置の様々なエンティティによって、保持されてよい。いくつかの実施形態において、リストは、ＭＴＣ  ＵＥ１００によって保持されてよい。更に又は代わりに、リストは、複数のネットワークエンティティによって保持され、非アクセス層（ＮＡＳ）シグナリングを介して利用可能にされてよい。様々な実施形態において、リストは、特定のパブリックランドモバイルネットワーク（ＰＬＭＮ）アイデンティティに属する複数のＭＴＣ専用のｅＮＢを含んでよい。例えば、リストは、限定加入者グループ（ＣＳＧ）のホワイトリストであってよい。ＭＴＣ  ＵＥ１００は、例えば、セル選択基準に基づいて、このリスト上にも含まれる最適な検出されたセルを選択してよい。
【００１８】
ＭＴＣ  ＵＥ１００は、検出された複数のセルのうちの複数の特定された無線セル１０２を、リスト上の許可された複数のＭＴＣ専用のセルに適合させると、様々な実施形態において、ＭＴＣ  ＵＥ１００は、例えば、セル選択基準に基づいて、適合している複数の無線セル１０２の１つに選択的に加わってよい。この例は、図２に示される。様々な実施形態において、接続が成功した後、ＭＴＣ  ＵＥは、将来の複数の接続及び無線セルの複数の選択を容易にするように、接続情報を格納するように構成されてよい。
【００１９】
セル選択基準は、例えば、ＭＴＣ  ＵＥ１００によって、複数の候補の無線セルから選択するために使用可能であってよく、様々な形式であってよい。様々な実施形態において、セル選択基準は、１つ又は複数の特定された無線セル１０２の信号強度であってよい。例えば、ＭＴＣ  ＵＥ１００は、第３ｅＮＢ１０８が他のＭＴＣ専用のｅＮＢ（図示せず）によって提供されたセルより強い信号を有することを判断してよく、その上で、第３ｅＮＢ１０８によって提供される無線セル１０２に選択的に加わってよい。他のセル選択基準は、利用可能なセルの帯域幅、リトライカウンタの期限の数、接続タイプ、ｐｉｎｇリターンタイム、利用可能なｅＮＢの複数のリソース、及びその類のものを含んでよいが、これらに限定されない。
【００２０】
特定されたＭＴＣ専用のｅＮＢがリストにない場合、又は１つ又は複数のセル選択基準を満たすＭＴＣ専用のｅＮＢがない場合のような複数の状況があってよい。そのような場合には、ＭＴＣ  ＵＥ１００は、（例えば、ハイブリッドｅＮＢ１１０によって提供されるような）ＭＴＣ及び非ＭＴＣトラフィックが許可されている１つ又は複数の無線セル１０２を特定してよい。例えば、図３では、ハイブリッドｅＮＢ１１０は、例えば、個別に又はブロードキャストの一部としてＭＴＣ  ＵＥ１００に、ハイブリッドｅＮＢ１１０によって提供される無線セル１０２上でＭＴＣトラフィックが許可されている及びされていない複数の環境を示すＭＴＣポリシーを提供してよい。このポリシー、及び他の複数のハイブリッドｅＮＢに関連する同様の複数のＭＴＣポリシーに基づいて、ＭＴＣ  ＵＥは、もしあれば、ＭＴＣ  ＵＥ１００が所与のその現在の複数の環境に加わることが許可されるこれらのハイブリッドｅＮＢのいずれかを特定してよい。
【００２１】
様々な実施形態において、ＭＴＣポリシーは、専用のＵＥシグナリング（例えば、ＮＡＳ）を使用して、ハイブリッドｅＮＢ１１０によって提供されてよい。様々な実施形態において、このＭＴＣポリシーは、図２に示されたブロードキャストされたｅＮＢカテゴリの情報の中に含まれてよい。ＭＴＣポリシーは、他の方法でも、複数のＭＴＣ  ＵＥに提供されてよい。例えば、いくつかの実施形態において、オープンモバイルアライアンスデバイス管理（ＯＭＡ−ＤＭ）プロトコルは、１つ又は複数のＭＴＣポリシーを有するＭＴＣ  ＵＥ１００を構成するために使用されてよい。
【００２２】
ＭＴＣポリシーは、ハイブリッドｅＮＢ１１０によって提供される無線セル１０２上でＭＴＣトラフィックが許可される複数の環境を示してよい。例えば、他の位置に位置付けられた複数のＭＴＣ  ＵＥがサービス提供されなくてよいのに対して、特定の位置又はその近く、例えばジオフェンスの範囲内の複数のＭＴＣ  ＵＥは、サービス提供されてよい。他の例として、他のタイプの複数のＭＴＣ  ＵＥがされないのに対して、特定のタイプの複数のＭＴＣ  ＵＥは、サービス提供されてよい。図３に示すように、ＭＴＣ  ＵＥ１００は、（例えば、全地球測位システム又は「ＧＰＳ」の座標に基づく）位置又はタイプのような様々なＭＴＥ  ＵＥの属性と連動して、ハイブリッドｅＮＢ１１０が無線セル１０２上でＭＴＣ  ＵＥ１００へ／からのＭＴＣトラフィックを許可するか否かを判断するために、このポリシーを使用してよい。そして、ＭＴＣ  ＵＥ１００は、セル選択基準に基づいて、特定のｅＮＢを選択して加わってよい。
【００２３】
ＵＥは、それが通信を送信又は受信しないダウンタイムの期間を経験してよい。場合によっては、そのようなＵＥは、例えば、パワー及び／又はコンピューティング若しくはネットワークの複数の資源を失わないようにするために、「アイドル」モードに遷移してよい。しかしながら、ＵＥは、アイドルモードである間に移動してよい。十分な無線接続を保持するために、アイドルモードの「通常の」ＵＥ（例えば、携帯電話）は、例えば、第３世代パートナシッププロジェクト（３ＧＰＰ）技術仕様書（ＴＳ）３６．３０４に従って、最後にサービス提供された無線セルがもはや最善の選択肢でない場合に接続し得る「許可された複数のセル」を定期的にサーチしてよい。例えば、アイドルモードのＵＥは、ＵＥが接続することが許可されている複数のセル（例えば、特定の無線キャリアに提供される又は特定のＰＬＭＮアイデンティティに属する複数のセル）を特定するＣＳＧのホワイトリストを利用してよい。
【００２４】
「通常の」複数のＵＥと同様に、アイドルモードの複数のＭＴＣ  ＵＥは、複数のＭＴＣ専用のｅＮＢをサポートする又はによって提供される許可された複数のセルを定期的にサーチしてよい。ＭＴＣ専用のｅＮＢによって提供される１より多い許可されたセルが見つかった場合、ＵＥは、セル選択基準によって複数のセルをランク付けしてよい。ＭＴＣ専用のｅＮＢによって提供される許可された（又はセル選択基準を満たす）セルがない場合、アイドルモードのＵＥは、他のトラフィックに並行してＭＴＣトラフィックを許可する複数のハイブリッドｅＮＢによって提供される（例えば、ＣＳＧの）許可された複数のセルをより広くサーチする「任意のセルへのキャンプイン」状態に遷移してよい。
【００２５】
例えば、様々な実施形態において、無線リソース制御（ＲＲＣ）アイドルモードにある間、ＭＴＣ  ＵＥ１００は、例えば、ＭＴＣ  ＵＥ１００が最後に無線セル１０２に加わったときに検出された複数の無線セル１０２と異なる他の複数の無線セル１０２を定期的に検出するように構成されてよい。無線セル１０２に最初に参加したときと同様に、ＭＴＣ  ＵＥ１００は、他の複数の無線セルの個々の無線セルに関連する複数のｅＮＢカテゴリを検出し、関連する複数のｅＮＢカテゴリに基づいてＭＴＣトラフィックが許可されている他の複数の検出された無線セルのうちの１つ又は複数の無線セルを特定するように構成されてよい。様々な実施形態において、ＭＴＣ  ＵＥ１００は、セル選択基準に基づいて、ＭＴＣ  ＵＥがすでに加えられた無線セル１０２から、１つ又は複数の特定された無線セルの他の無線セル１０２へ、選択的にハンドオフを開始するように構成されてよい。
【００２６】
図４を参照すると、様々な実施形態に係る図１のＭＴＣ  ＵＥ１００のようなＭＴＣ  ＵＥによって実装される方法４００の例が示される。ブロック４０２で、ＭＴＣ  ＵＥは、ｅＮＢ（例えば、図１の１０４−１１０）によってそれぞれ提供される複数の無線セル（例えば、図１の１０２）を検出してよい。ブロック４０４で、ＭＴＣ  ＵＥは、複数の無線セルの個々の無線セルに関連する複数のｅＮＢカテゴリを検出してよい。
【００２７】
ブロック４０６で、ＭＴＣ  ＵＥは、例えば、関連する複数のｅＮＢカテゴリに基づいて、ＭＴＣトラフィックが許可されている複数の検出された無線セルののうちの１つ又は複数の無線セルを特定してよい。ブロック４０８で、ＭＴＣ  ＵＥは、ＭＴＣ  ＵＥが接続することが許可されている複数のＭＴＣ専用のｅＮＢのリスト（例えば、ＭＴＣ  ＵＥ１００のメモリに格納されている又はＮＡＳ上に保持されているＣＳＧ）に対して、１つ又は複数の特定された無線セルを照合してよい。ブロック４０８で、１つ又は複数の適合している無線セルが見つかった場合、ブロック４１０で、ＭＴＣ  ＵＥは、セル選択基準に基づいて、ＭＴＣ専用のｅＮＢによって提供される最適な適合している無線セルに選択的に加わってよい。
【００２８】
しかしながら、ブロック４０８で、適合している無線セルがリスト上に見つからなかった場合、ブロック４１２で、ＭＴＣ  ＵＥは、例えば、セル選択基準に基づいて、ＭＴＣ及び非ＭＴＣトラフィックの両方を許可するハイブリッドｅＮＢ（例えば、図１の１１０）によって提供される無線セルに選択的に加わってよい。様々な実施形態において、この選択的参加は、ハイブリッドｅＮＢがＭＴＣトラフィックを許可する環境を特定するハイブリッドｅＮＢのＭＴＣポリシーに基づいてよい。上述のように、ハイブリッドｅＮＢは、（複数のｅＮＢカテゴリを有するいくつかの場合において）ＮＡＳシグナリングを介するような、様々な方法で利用可能なＭＴＣポリシーを作成してよい。
【００２９】
図５を参照すると、様々な実施形態に係るｅＮＢ（例えば、１０４−１１０）によって実装される方法５００の例が示される。方法５００の様々な動作が、方法５００が実装されるｅＮＢがＭＴＣ専用のｅＮＢ（例えば、１０８）か、ハイブリッドｅＮＢ（例えば、１１０）か、又はＭＴＣトラフィックを許可していないｅＮＢ（例えば１０４、１０６）かに応じて、追加又は省略されてよい。
【００３０】
ブロック５０２で、ｅＮＢは、図１に示される複数の無線セル１０２のうちの１つのような無線セルを提供してよい。ブロック５０４で、ｅＮＢは、例えば、（ｅＮＢによって提供される無線セル１０２を検出していてもよい）ＭＴＣ  ＵＥ１００に、ｅＮＢによって提供される無線セル上でＭＴＣトラフィックが許可されているか否かを通常示すＭＴＣカテゴリを提供してよい。ｅＮＢがＭＴＣトラフィックを禁止するＭＴＣカテゴリのメンバ（例えば、１０４、１０６）である場合、ＭＴＣ  ＵＥ１００は、ｅＮＢとさらに通信しなくてよく、方法５００は終了してよい。ｅＮＢがＭＴＣ専用のｅＮＢ（例えば、１０８）である場合、ＭＴＣ  ＵＥ１００は、ＭＴＣ  ＵＥ５００のセル選択基準に基づいて、ｅＮＢによって提供される無線セル又は他のＭＴＣ専用のｅＮＢによって提供される他の無線セルに加わってよい。
【００３１】
ｅＮＢがハイブリッドｅＮＢ（例えば、１１０）である場合、ブロック５０６で、ｅＮＢは、例えば、ＭＴＣ  ＵＥ１００に、ｅＮＢがＭＴＣトラフィックを許可する環境を特定するＭＴＣポリシーを提供してよい。上述のように、ＭＴＣポリシーは、特定の位置又はその近くに、例えばジオフェンスの範囲内に位置付けられた又はそれが特定のタイプの複数のＭＴＣ  ＵＥにサービス提供する複数のＭＴＣ  ＵＥに、ｅＮＢがサービス提供することを示してよい。様々な実施形態において、ＭＴＣカテゴリ及び／又はＭＴＣポリシーは、ＮＡＳシグナリングを使用して、ＭＴＣ  ＵＥ１００に提供されてよい。ブロック５０８で、ｅＮＢは、ＭＴＣポリシーに基づいて、ＭＴＣ  ＵＥ１００に選択的にサービス提供してよい。
【００３２】
様々な実施形態において、ブロック５１０で、ｅＮＢは、ｅＮＢが接続されるネットワークの一部が過負荷であることを判断するように構成されてよい。例えば、ｅＮＢは、無線セルがネットワークトラフィックで、例えば、予め定められた閾値を超えるトラフィック密度が理由で、過負荷であることを判断してよい。そのような場合において、ブロック５１２で、ｅＮＢは、例えば、特定のＲＲＣリリースインジケータを有するＲＲＣ接続リリースメッセージを使用して、１つ又は複数のＭＴＣ  ＵＥをリリースするように構成されてよい。様々な実施形態において、ＲＲＣリリースインジケータは、１つ又は複数のＭＴＣ  ＵＥに、複数のＭＴＣ  ＵＥが再登録なしでネットワークから切断される状態に遷移させてよい。様々な実施形態において、ＲＲＣリリースインジケータは、１つ又は複数のＭＴＣ  ＵＥに、アイドルモードに遷移させてよい。様々な実施形態において、ＲＲＣリリースインジケータは、複数のＭＴＣ  ＵＥを他のｅＮＢにリダイレクトしてよい。
【００３３】
様々な実施形態において、複数のｅＮＢに加えてネットワークの他の複数のコンポーネントは、非ＭＴＣトラフィックのための複数の非ＭＴＣコンポーネントの複数のネットワークリソースを失わないために、例えば、ＭＴＣトラフィックを含むＭＴＣ通信の専用であってよい。ＭＴＣ専用の形式で考えられる１つのエンティティの例は、モビリティ管理エンティティ（ＭＭＥ）である。
【００３４】
例えば、図１において、特にＭＴＣトラフィックの専用でない２つの「通常の」ＭＭＥ１１２、及び１つのＭＴＣ専用のＭＭＥ１１４がある。ＭＴＣ専用のｅＮＢ１０８及びハイブリッドｅＮＢ１１０は、可能なときに使用するために、ＭＴＣ専用のＭＭＥ１１４を選択するように構成されてよいが、必要に応じて（例えば、ＭＴＣ専用のＭＭＥ１１４がダウンしている又は過負荷の場合）、ＭＴＣ専用でないＭＭＥ１１２を利用してもよい。様々な実施形態において、ＭＴＣ専用のｅＮＢ１０８と同様に、ＭＴＣ専用のＭＭＥ１１４は、例えば、多数のＭＴＣ  ＵＥを有する工場又は他の環境の中での使用のために、「低価格」のＭＭＥであってよい。これは、さらに、複数の新しいＭＴＣサービスを展開するときに、資本支出（ＣＡＰＥＸ）を減らし得る。図１に示されるＭＭＥ及びｅＮＢの構成は、説明のためであり、ＭＭＥ及びｅＮＢの任意の他の構成又は配置が予期されることが理解される。
【００３５】
図６は、ＭＴＣ専用のＭＭＥを利用するために、ＭＴＣ専用のｅＮＢ１０８及びハイブリッドｅＮＢ１１０のような様々なｅＮＢに実装される方法６００の例を示す。ブロック６０２で、ｅＮＢは、複数のモビリティ管理エンティティ（ＭＭＥ）を検出してよい。ブロック６０４で、ｅＮＢは、複数のＭＭＥの個々のＭＭＥに関連する複数のＭＭＥカテゴリを検出してよい。例えば、複数のＭＭＥは、Ｓ１インターフェースを介して、個々のＭＭＥのカテゴリを提供してよい。
【００３６】
ブロック６０６で、ｅＮＢは、関連する複数のＭＭＥカテゴリに基づいて、ＭＴＣトラフィックに専用の複数の検出されたＭＭＥのうちの１つ又は複数のＭＭＥを特定してよい。例えば、図１のハイブリッドｅＮＢ１１０は、ＭＴＣ専用のＭＭＥ１１４を特定してよい。ブロック６０８で、ｅＮＢは、ＭＭＥ選択基準に基づいて、ブロック６０６で特定された１つ又は複数のＭＭＥのうちのＭＭＥを選択してよい。ブロック６０６で特定されたＭＴＣ−ＭＭＥが１つであった場合、ｅＮＢは、単にそのＭＭＥを利用してよい。
【００３７】
図７は、様々な実施形態に係るコンピューティングデバイス７００の例を示す。ここで説明されたＭＴＣ  ＵＥ１００又は複数のｅＮＢのいずれか（例えば、１０４−１１０）は、コンピューティングデバイス７００のようなコンピューティングデバイス上に実装されてよい。コンピューティングデバイス７００は、多数のコンポーネント、１つ又は複数のプロセッサ７０４、及び少なくとも１つの通信チップ７０６を含んでよい。様々な実施形態において、１つ又は複数のプロセッサ７０４は、それぞれプロセッサコアであってよい。様々な実施形態において、少なくとも１つの通信チップ７０６は、１つ又は複数のプロセッサ７０４に物理的及び電気的に結合されてもよい。さらなる実装において、通信チップ７０６は、１つ又は複数のプロセッサ７０４の一部であってよい。様々な実施形態において、コンピューティングデバイス７００は、プリント回路基板（ＰＣＢ）７０２を含んでよい。これらの実施形態に対して、１つ又は複数のプロセッサ７０４及び通信チップ７０６は、その上に配置されてよい。別の実施形態において、様々なコンポーネントは、ＰＣＢ７０２を使用せずに結合されてよい。
【００３８】
その応用に応じて、コンピューティングデバイス７００は、ＰＣＢ７０２に物理的及び電気的に結合されてもされなくてもよい他の複数のコンポーネントを含んでよい。これらの他のコンポーネントは、揮発性メモリ（例えば、ダイナミックランダムアクセスメモリ７０８、「ＤＲＡＭ」とも称される）、不揮発性メモリ（例えば、リードオンリーメモリ７１０、「ＲＯＭ」とも称される）、フラッシュメモリ７１２、入力／出力コントローラ７１４、デジタルシグナルプロセッサ（図示せず）、暗号プロセッサ（図示せず）、グラフィックスプロセッサ７１６、１つ又は複数のアンテナ７１８、ディスプレイ（図示せず）、タッチスクリーンディスプレイ７２０、タッチスクリーンコントローラ７２２、バッテリ７２４、オーディオコーデック（図示せず）、ビデオコーデック（図示せず）、全地球測位システム（ＧＰＳ）デバイス７２８、コンパス７３０、加速時計（図示せず）、ジャイロスコープ（図示せず）、スピーカ７３２、カメラ７３４、１つ又は複数の他のセンサ７３６（例えば、気圧計、ガイガーカウンタ、温度計、粘度計、血流計、高度計、又は例えば、様々な製造環境において見つけられる又は他の応用において使用されるような他のセンサ）、又はさらに、大容量ストレージデバイス（ハードディスクドライブ、ソリッドステートドライブ、コンパクトディスク（ＣＤ）、デジタル多用途ディスク（ＤＶＤ）のような）（図示せず）、及びその類のものを含むが、これらに限定されない。様々な実施形態において、プロセッサ７０４は、システムオンチップ（ＳｏＣ）を形成するために、他のコンポーネントとともに同一のダイ上に集積されてよい。
【００３９】
様々な実施形態において、揮発性メモリ（例えば、ＤＲＡＭ７０８）、不揮発性メモリ（例えば、ＲＯＭ７１０）、フラッシュメモリ７１２、及び大容量ストレージデバイスは、１つ又は複数のプロセッサ７０４による実行に応答して、コンピューティングデバイス７００が、コンピューティングデバイス７００が使用されて実施することに応じて、図２及び図３又は方法４００、５００、又は６００に記載されたデータ交換の全ての又は選択された態様を実施することを可能にするように構成される複数のプログラミング命令を含んでよい。より具体的には、揮発性メモリ（例えば、ＤＲＡＭ７０８）、不揮発性メモリ（例えば、ＲＯＭ７１０）、フラッシュメモリ７１２、及び大容量ストレージデバイスのような１つ又は複数のメモリコンポーネントは、１つ又は複数のプロセッサ７０４によって実行されたときに、コンピューティングデバイス７００が、コンピューティングデバイス７００が使用されて実施することに応じて、図２及び図３又は方法４００、５００、又は６００に記載されたデータ交換の全て又は選択された態様を実施するように構成された１つ又は複数のモジュール７３８を動作させることを可能にする複数の命令の一時的な及び／又は永続的なコピーを含んでよい。
【００４０】
通信チップ７０６は、コンピューティングデバイス７００への又はからのデータの転送のためのを有線及び／又は無線通信を可能にしてよい。「無線」という用語及びその派生語は、非固形の媒体を介して変調された電磁放射線を使用してデータ通信する回路、デバイス、システム、方法、技術、通信チャネルなどを説明するために使用されてよい。その用語は、関連するデバイスがいかなる電線も含まないことを意味していないが、いくつかの実施形態においては、それらは含まなくてよい。通信チップ７０６は、これらに限定されないが、ＩＥＥＥ７０２．２０、Ｇｅｎｅｒａｌ  Ｐａｃｋｅｔ  Ｒａｄｉｏ   Ｓｅｒｖｉｃｅ（ＧＰＲＳ）、Ｅｖｏｌｕｔｉｏｎ  Ｄａｔａ  Ｏｐｔｉｍｉｚｅｄ（Ｅｖ−ＤＯ）、Ｅｖｏｌｖｅｄ  Ｈｉｇｈ  Ｓｐｅｅｄ  Ｐａｃｋｅｔ  Ａｃｃｅｓｓ（ＨＳＰＡ＋）、Ｅｖｏｌｖｅｄ  Ｈｉｇｈ  Ｓｐｅｅｄ  Ｄｏｗｎｌｉｎｋ  Ｐａｃｋｅｔ  Ａｃｃｅｓｓ（ＨＳＤＰＡ＋）、Ｅｖｏｌｖｅｄ  Ｈｉｇｈ  Ｓｐｅｅｄ  Ｕｐｌｉｎｋ  Ｐａｃｋｅｔ  Ａｃｃｅｓｓ（ＨＳＵＰＡ＋）、Ｇｌｏｂａｌ  Ｓｙｓｔｅｍ  ｆｏｒ  Ｍｏｂｉｌｅ（ＧＳＭ（登録商標））通信、Ｅｎｈａｎｃｅｄ  Ｄａｔａ  ｒａｔｅｓ  ｆｏｒ  ＧＳＭ（登録商標）  Ｅｖｏｌｕｔｉｏｎ（ＥＤＧＥ）、Ｃｏｄｅ  Ｄｉｖｉｓｉｏｎ  Ｍｕｌｔｉｐｌｅ  Ａｃｃｅｓｓ（ＣＤＭＡ）、Ｔｉｍｅ  Ｄｉｖｉｓｉｏｎ  Ｍｕｌｔｉｐｌｅ  Ａｃｃｅｓｓ（ＴＤＭＡ）、Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（ＤＥＣＴ）、ブルートゥース、及びその派生語だけでなく、３Ｇ、４Ｇ、５Ｇ、及びさらに先のものとして指定されるいかなる他の無線プロトコルを含む多数の無線規格又はプロトコルのいずれかを実装してよい。コンピューティングデバイス７００は、複数の通信チップ７０６を含んでよい。例えば、第１の通信チップ７０６は、Ｗｉ−Ｆｉ及びブルートゥースのようなより短い距離の無線通信の専用であってよく、第２の通信チップ７０６は、ＧＰＳ、ＥＤＧＥ、ＧＰＲＳ、ＣＤＭＡ、ＷｉＭＡＸ、ＬＴＥ、Ｅｖ−ＤＯ、及びその他のようなより長い距離の無線通信の専用であってよい。
【００４１】
様々な実装において、コンピューティングデバイス７００は、ラップトップ、ネットブック、ノートブック、ウルトラブック、スマートフォン、コンピューティングタブレット、パーソナルデジタルアシスタント（ＰＤＡ）、ウルトラモバイルＰＣ、携帯電話、デスクトップコンピュータ、サーバ、プリンタ、スキャナ、モニタ、セットトップボックス、娯楽制御ユニット（例えば、ゲーム機）、デジタルカメラ、ポータブル音楽プレイヤ、又はデジタルビデオレコーダであってよい。さらなる実装において、コンピューティングデバイス７００は、データを処理する任意の他の電子デバイスであってよい。
【００４２】
装置、パッケージ、コンピュータ実装方法、システム、デバイス、及びコンピュータ可読媒体（一時的及び非一時的）の実施形態が、ＭＴＣ  ＵＥによる複数の無線セルへの選択的参加についてここで説明される。様々な実施形態において、ｅＮＢによってそれぞれが提供される複数の無線セルが検出されてよい。様々な実施形態において、複数の無線セルの個々の無線セルに関連する複数のｅＮＢカテゴリが検出されてよい。様々な実施形態において、ＭＴＣトラフィックが許可されている複数の検出された無線セルの１つ又は複数の無線セルが、関連する複数のｅＮＢカテゴリに基づいて特定されてよい。様々な実施形態において、ＭＴＣ  ＵＥは、セル選択基準に基づいて、１つ又は複数の特定された無線セルのうちの無線セルに選択的に加わってよい。
【００４３】
様々な実施形態において、ＭＴＣ  ＵＥは、例えば、ネットワーク過負荷の検出に基づいてｅＮＢから、接続モードからアイドル又は切断モードへ遷移する及びｅＮＢへの接続をリリースするための命令を取得し、そして、他のｅＮＢを介して次の通信をリダイレクトしてよい。
【００４４】
様々な実施形態において、ＭＴＣ  ＵＥが接続することが許可されている複数のＭＴＣ専用のｅＮＢのリストは、複数の特定された無線セルに対して照合されてよい。様々な実施形態において、ＭＴＣ  ＵＥは、照合の結果にさらに基づいて、無線セルに選択的に加わってよい。様々な実施形態において、複数のＭＴＣ専用のｅＮＢのリストは、ｅＮＢから及び／又はＮＡＳシグナリングを介して取得されてよい。
【００４５】
様々な実施形態において、リスト上の複数のＭＴＣ専用のｅＮＢのいずれもＭＴＣ  ＵＥにサービス提供できないという判断がなされてよい。様々な実施形態において、ＭＴＣ及び非ＭＴＣトラフィックの両方にサービス提供するｅＮＢが、例えば、ｅＮＢがＭＴＣトラフィックを許可する環境を特定するｅＮＢのＭＴＣポリシーに基づいて特定されてよい。様々な実施形態において、ＭＴＣポリシーは、ｅＮＢによって提供され、又はＯＭＡ−ＤＭ構成を使用するＭＴＣ  ＵＥ上に構成されてよい。様々な実施形態において、ＭＴＣポリシーに含まれる環境は、予め定められた位置又はその近くに、ジオフェンスの範囲内に存在するＭＴＣ  ＵＥ、又は特定のタイプのＭＴＣ  ＵＥを含んでよい。
【００４６】
様々な実施形態において、セル選択基準は、１つ又は複数の特定された無線セルの信号強度又はリトライカウンタの期限を含んでよい。様々な実施形態において、ＭＴＣ  ＵＥは、接続モードからアイドルモードに遷移されてよい。様々な実施形態において、アイドルモードである間、ＭＴＣ  ＵＥは、ｅＮＢによってそれぞれ提供される他の複数の無線セルを定期的に検出してよい。様々な実施形態において、他の複数の無線セルの個々の無線セルに関連する複数のｅＮＢカテゴリが検出されてよい。様々な実施形態において、ＭＴＣトラフィックが許可されている他の複数の検出された無線セルのうちの１つ又は複数の無線セルが、関連する複数のｅＮＢカテゴリに基づいて特定される。様々な実施形態において、ＭＴＣ  ＵＥが事前に選択的に加わった無線セルから、他の複数の検出された無線セルの１つ又は複数の特定された無線セルのうちの他の無線セルへのハンドオフは、セル選択基準に基づいて選択的に開始される。
【００４７】
様々な実施形態において、ｅＮＢは、無線セルを提供するように構成されてよい。様々な実施形態において、ｅＮＢは、無線セルを検出するＭＴＣ  ＵＥに、ｅＮＢがＭＴＣトラフィックを許可する環境を特定するＭＴＣポリシーを提供するように構成されてよい。様々な実施形態において、ｅＮＢは、ＭＴＣポリシーに基づいて、ＭＴＣ  ＵＥに選択的にサービス提供するように構成されてよい。様々な実施形態において、ｅＮＢは、専用のＵＥシグナリングを使用するＭＴＣ  ＵＥに、ＭＴＣポリシーを提供するように構成されてよい。
【００４８】
様々な実施形態において、ｅＮＢは、ｅＮＢが接続されるネットワークの一部が過負荷であるという判断に応答して、ＭＴＣ  ＵＥをリリースするように構成されてよい。様々な実施形態において、リリースは、ＭＴＣ  ＵＥのアイドル又は切断モードへの遷移、及び／又は新しいｅＮＢへのリダイレクトを含んでよい。様々な実施形態において、ネットワークの一部は、ｅＮＢによって提供される無線セルであってよい。
【００４９】
様々な実施形態において、ｅＮＢは、複数のＭＭＥを検出するように構成されてよい。様々な実施形態において、ｅＮＢは、複数のＭＭＥの個々のＭＭＥに関連する複数のＭＭＥカテゴリを検出するように構成されてよい。様々な実施形態において、ｅＮＢは、関連する複数のＭＭＥカテゴリに基づいて、ＭＴＣトラフィックに専用の複数の検出されたＭＭＥのうちの１つ又は複数のＭＭＥを特定するように構成されてよい。様々な実施形態において、ｅＮＢは、ＭＭＥ選択基準に基づいて、１つ又は複数の特定されたＭＭＥのうちのＭＭＥを選択するように構成されてよい。様々な実施形態において、複数のＭＭＥカテゴリは、１つ又は複数のＳ１インターフェース上で検出されてよい。
【００５０】
説明の目的のために特定の実施形態が示されてここに説明されたが、この出願は、ここで議論された実施形態の任意の適応及び変更をカバーすることが意図される。したがって、ここで説明された実施形態は請求項によってのみ限定されることが明白に意図される。
【００５１】
本開示は、「１つ」又は「第１」の要素又はその均等物について記述し、そのような開示は１つ又は複数のそのような要素を含み、２つ又はより多いそのような要素を要求することも排除することもない。さらに、特定された要素のための順序の指標（例えば、第１、第２、又は第３）は、その要素を区別するために使用され、特に言及されない限りにおいて、そのような要素の要求された又は限定された数を示さず又は意味せず、又は、そのような要素の特定の位置又は順序を示さない。
［項目１］
マシンタイプコミュニケーション（ＭＴＣ）ユーザ機器（ＵＥ）であって、
進化型ノードＢ（ｅＮＢ）によってそれぞれ提供される複数の無線セルを検出し、
上記複数の無線セルの個々の無線セルに関連する複数のｅＮＢカテゴリを検出し、
上記関連する複数のｅＮＢカテゴリに基づいて、ＭＴＣトラフィックが許可されている検出された上記複数の無線セルのうちの１つ又は複数の無線セルを特定し、
セル選択基準に基づいて、特定された上記１つ又は複数の無線セルのうちの無線セルに選択的に加わる処理回路
を備えるＭＴＣ  ＵＥ。
［項目２］
上記処理回路は、さらに、
上記特定された１つ又は複数の無線セルに対して、上記ＭＴＣ  ＵＥが接続することが許可されている複数のＭＴＣ専用のｅＮＢのリストを照合し、
上記照合の結果にさらに基づいて、上記無線セルに選択的に加わる、項目１に記載のＭＴＣ  ＵＥ。
［項目３］
上記処理回路は、さらに、
ｅＮＢから、複数のＭＴＣ専用のｅＮＢの上記リストを取得する、項目２に記載のＭＴＣ  ＵＥ。
［項目４］
上記処理回路は、さらに、
非アクセス層（ＮＡＳ）シグナリングを使用して、複数のＭＴＣ専用のｅＮＢの上記リストを取得する、項目２に記載のＭＴＣ  ＵＥ。
［項目５］
上記処理回路は、さらに、
上記リスト上の上記複数のＭＴＣ専用のｅＮＢのいずれもが上記ＭＴＣ  ＵＥにサービス提供できないことを判断し、
上記ｅＮＢがＭＴＣトラフィックを許可する環境を特定する上記ｅＮＢのＭＴＣポリシーに基づいて、ＭＴＣ及び非ＭＴＣトラフィックの両方にサービス提供するｅＮＢを特定する、項目２に記載のＭＴＣ  ＵＥ。
［項目６］
上記ＭＴＣポリシーは、ｅＮＢによって提供され、又はオープンモバイルアライアンスデバイス管理（ＯＭＡ−ＤＭ）構成を使用する上記ＭＴＣ  ＵＥ上に構成される、項目５に記載のＭＴＣ  ＵＥ。
［項目７］
上記環境は、予め定められた位置又はその近くに、ジオフェンスの範囲内に存在する上記ＭＴＣ  ＵＥ又は特定のタイプのＭＴＣ  ＵＥを備える、項目５に記載のＭＴＣ  ＵＥ。
［項目８］
上記セル選択基準は、上記特定された１つ又は複数の無線セルの信号強度又はリトライカウンタの期限を備える、項目１から７のいずれか一項に記載のＭＴＣ  ＵＥ。
［項目９］
上記処理回路は、さらに、
接続モードからアイドルモードに上記ＭＴＣ  ＵＥを遷移させ、
アイドルモードである間、
ｅＮＢによってそれぞれ提供される他の複数の無線セルを定期的に検出し、
上記他の複数の無線セルの個々の無線セルに関連する複数のｅＮＢカテゴリを検出し、
上記関連する複数のｅＮＢカテゴリに基づいて、ＭＴＣトラフィックが許可されている検出された上記他の複数の無線セルのうちの１つ又は複数の無線セルを特定し、
上記ＭＴＣ  ＵＥが事前に選択的に加わった上記無線セルから、上記検出された他の複数の無線セルの特定された上記１つ又は複数の無線セルのうちの他の無線セルへのハンドオフを、上記セル選択基準に基づいて選択的に開始する、項目１から７のいずれか一項に記載のＭＴＣ  ＵＥ。
［項目１０］
上記処理回路は、ネットワーク過負荷の検出に基づいて上記ｅＮＢから、接続モードからアイドルモードへ遷移する又は上記ｅＮＢへの接続をリリースするための命令を取得し、他のｅＮＢを介して次の通信をリダイレクトするようにさらに構成される、項目１から７のいずれか一項に記載のＭＴＣ  ＵＥ。
［項目１１］
進化型ノードＢ（ｅＮＢ）であって、
無線セルを提供し、
上記無線セルを検出するマシンタイプコミュニケーション（ＭＴＣ）ユーザ機器（ＵＥ）に、上記ｅＮＢがＭＴＣトラフィックを許可する環境を特定するＭＴＣポリシーを提供し、
上記ＭＴＣポリシーに基づいて、上記ＭＴＣ  ＵＥに選択的にサービス提供する処理回路
を備えるｅＮＢ。
［項目１２］
上記処理回路は、さらに、非アクセス層（ＮＡＳ）シグナリング及び無線リソース制御（ＲＲＣ）シグナリングの少なくとも一方を使用して、上記ＭＴＣ  ＵＥに上記ＭＴＣポリシーを提供する、項目１１に記載のｅＮＢ。
［項目１３］
上記処理回路は、さらに、上記ｅＮＢが接続されるネットワークの一部が過負荷であるという判断に応答して、上記ＭＴＣ  ＵＥをリリースし、上記ＭＴＣ  ＵＥのリリースは、上記ＭＴＣ  ＵＥのアイドル又は切断モードへの遷移、又は新しいｅＮＢへのリダイレクトを備える、項目１１に記載のｅＮＢ。
［項目１４］
上記ネットワークの上記一部は、上記ｅＮＢによって提供される上記無線セルである、項目１３に記載のｅＮＢ。
［項目１５］
上記環境は、予め定められた位置又はその近くに存在する上記ＭＴＣ  ＵＥを備える、項目１１から１４のいずれか一項に記載のｅＮＢ。
［項目１６］
上記環境は、ジオフェンスの範囲内に存在する上記ＭＴＣ  ＵＥを備える、項目１１から１４のいずれか一項に記載のｅＮＢ。
［項目１７］
上記環境は、特定のタイプのＭＴＣ  ＵＥである上記ＭＴＣ  ＵＥを備える、項目１１から１４のいずれか一項に記載のｅＮＢ。
［項目１８］
上記処理回路は、さらに、
複数のモビリティ管理エンティティ（ＭＭＥ）を検出し、
複数の上記ＭＭＥの個々のＭＭＥに関連する複数のＭＭＥカテゴリを検出し、
上記関連する複数のＭＭＥカテゴリに基づいて、ＭＴＣトラフィックに専用の検出された上記複数のＭＭＥのうちの１つ又は複数のＭＭＥを特定し、
ＭＭＥ選択基準に基づいて、特定された上記１つ又は複数のＭＭＥのうちのＭＭＥを選択するように構成される、項目１１から１４のいずれか一項に記載のｅＮＢ。
［項目１９］
上記複数のＭＭＥカテゴリは、１つ又は複数のＳ１インターフェース上で検出される、項目１８に記載のｅＮＢ。
［項目２０］
コンピュータに、
複数の無線セルの個々の無線セルを提供する複数のｅＮＢに関連する複数の進化型ノードＢカテゴリ（ｅＮＢカテゴリ）を特定する工程、及び
特定された複数の上記ｅＮＢカテゴリ、及びを選択される無線セルを提供する上記ｅＮＢの１つ又は複数の相対的な信号強度又はリトライカウンタの期限を含むセル選択基準に基づいて、上記複数の無線セルから、マシンタイプコミュニケーション（ＭＴＣ）ユーザ機器（ＵＥ）がＭＴＣトラフィックを送信又は受信するために加わる無線セルを選択する工程
を実行させるためのプログラム。
［項目２１］
上記選択は、さらに、選択された上記ｅＮＢから取得されたＭＴＣポリシーに基づき、上記ＭＴＣポリシーは、上記ｅＮＢがＭＴＣトラフィックを許可する環境を特定する、項目２０に記載のプログラム。
［項目２２］
上記環境は、特定の位置又はその近くに存在する上記ＭＴＣ  ＵＥを備える、項目２１に記載のプログラム。
［項目２３］
上記環境は、ジオフェンスの範囲内に存在する上記ＭＴＣ  ＵＥを備える、項目２１又は２２に記載のプログラム。
［項目２４］
上記環境は、特定のタイプのＵＥである上記ＭＴＣ  ＵＥを備える、項目２１又は２２に記載のプログラム。
［項目２５］
複数の上記ｅＮＢカテゴリ、又は上記ＭＴＣポリシーは、非アクセス層（ＮＡＳ）シグナリングを使用して取得される、項目２１又は２２に記載のプログラム。
［項目２６］
マシンタイプコミュニケーションユーザ機器装置であって、
複数の無線セルの個々の無線セルを提供する複数の進化型ノードＢに関連する複数の進化型ノードＢカテゴリを特定する手段と、
特定された上記複数の進化型ノードＢカテゴリ、及びを選択される無線セルを提供する進化型ノードＢの１つ又は複数の相対的な信号強度又はリトライカウンタの期限を含むセル選択基準に基づいて、上記複数の無線セルから、上記マシンタイプコミュニケーションユーザ機器装置がマシンタイプコミュニケーショントラフィックを送信又は受信するために加わる無線セルを選択する手段と
を備えるマシンタイプコミュニケーションユーザ機器装置。
［項目２７］
上記選択は、さらに、選択された上記進化型ノードＢから取得されたマシンタイプコミュニケーションポリシーに基づき、上記マシンタイプコミュニケーションポリシーは、上記進化型ノードＢがマシンタイプコミュニケーショントラフィックを許可する環境を特定する、項目２６に記載のマシンタイプコミュニケーションユーザ機器装置。
［項目２８］
上記環境は、特定の位置又はその近くに存在する上記マシンタイプコミュニケーションユーザ機器装置を備える、項目２７に記載のマシンタイプコミュニケーションユーザ機器装置。
［項目２９］
上記環境は、ジオフェンスの範囲内に存在する上記マシンタイプコミュニケーションユーザ機器装置を備える、項目２７に記載のマシンタイプコミュニケーションユーザ機器装置。
［項目３０］
上記環境は、特定のタイプのユーザ機器である上記マシンタイプコミュニケーションユーザ機器装置を備える、項目２７から２９のいずれか一項に記載のマシンタイプコミュニケーションユーザ機器装置。
［項目３１］
上記複数の進化型ノードＢカテゴリ、又は上記マシンタイプコミュニケーションポリシーは、非アクセス層シグナリングを使用して取得される、項目２７から２９のいずれか一項に記載のマシンタイプコミュニケーションユーザ機器装置。
【図１】
0006048776.tif 000002
【図２】
0006048776.tif 000003
【図３】
0006048776.tif 000004
【図４】
0006048776.tif 000005
【図５】
0006048776.tif 000006
【図６】
0006048776.tif 000007
【図７】
0006048776.tif 000008